【事件の表示】
　特願２００８−２８３８８４「コンテンツ表示装置」拒絶査定不服審判事件〔平成２２年　５月２０日出願公開、特開２０１０−１１３４３４、請求項の数（８）〕について、次のとおり審決する。
【結　論】
　原査定を取り消す。
　本願の発明は、特許すべきものとする。
【理　由】
第１　手続の経緯 
　本願は、平成２０年１１月５日の出願であって、原審において平成２４年１０月１２日付けで拒絶理由が通知され、同年１２月２１日付けで手続補正がされたが、平成２５年３月２５日付けで拒絶査定がなされ、これに対し、同年７月１日に拒絶査定不服の審判が請求されるとともに、同日付けで手続補正がされ、同年９月１３日付けで当審より審尋がなされ、同年１１月１５日に回答書が提出されたものである。
　
第２　平成２５年７月１日付けの手続補正（以下、「本件補正」という。）の適否
１．補正の内容 
　上記手続補正は補正前の平成２４年１２月２１日付け手続補正書の特許請求の範囲の請求項１に記載された 
　 
　「【請求項１】
　コンテンツ選択操作を入力する入力部と、
　コンテンツに関する複数の異なる属性をコンテンツに対応付けて記憶する記憶部と、
　前記入力部に入力されたコンテンツ選択操作によって選択された選択コンテンツに付された属性に基づいて、前記選択コンテンツに関連する他のコンテンツを検索するコンテンツ検索部と、
　検索結果を表示するコンテンツ表示部とを備え、
　前記コンテンツ表示部は、
　前記選択コンテンツと、前記選択コンテンツと第１の属性が同一のコンテンツを少なくとも１つ表示する第１の表示領域と、
　前記選択コンテンツと前記第１の属性とは異なる第２の属性が同一のコンテンツを属性ごとに少なくとも１つ表示する第２の表示領域とを備え、
　前記第２の表示領域内でのコンテンツを選択する行為に連動して、前記第１の表示領域内のコンテンツと前記第２の表示領域内のコンテンツとが共に切り替わり、かつ、前記第２の表示領域内のコンテンツの選択に応じて、選択されたコンテンツが前記第１の表示領域に移動し、前記第２の表示領域には前記第１の表示領域に移動したコンテンツと前記第２の属性が同一のコンテンツを少なくとも１つ表示させることを特徴とするコンテンツ表示装置。」 
 　
という発明を、 
　 
　「【請求項１】
　コンテンツ選択操作を入力する入力部と、
　コンテンツに関する複数の異なる属性をコンテンツに対応付けて記憶する記憶部と、
　前記入力部に入力されたコンテンツ選択操作によって選択された選択コンテンツに付された属性に基づいて、前記選択コンテンツに関連する他のコンテンツを検索するコンテンツ検索部と、
　検索結果を表示するコンテンツ表示部とを備え、
　前記コンテンツ表示部は、
　前記選択コンテンツと、前記選択コンテンツと第１の属性が同一のコンテンツを少なくとも１つ表示する第１の表示領域と、
　前記選択コンテンツと前記第１の属性とは異なる第２の属性が同一のコンテンツを属性ごとに少なくとも１つ表示する第２の表示領域とを備え、
　前記第２の表示領域内でのコンテンツを選択する行為に連動して、前記第１の表示領域内のコンテンツと前記第２の表示領域内のコンテンツとが共に切り替わり、かつ、前記第２の表示領域内のコンテンツの選択に応じて、選択されたコンテンツが前記第１の表示領域に移動し、前記第２の表示領域には前記第１の表示領域に移動したコンテンツと前記第２の属性が同一のコンテンツを少なくとも１つ表示させ、
　前記選択コンテンツを切り替えた前後で同じ属性を有している場合であっても、前記第２の表示領域には、切り替え前と異なるコンテンツが表示されることを特徴とするコンテンツ表示装置。」
　
と補正するものである。 
　
２．補正の適否 
　本件補正は、請求項１に記載した発明を特定するために必要な事項である「コンテンツ表示部」について、「前記選択コンテンツを切り替えた前後で同じ属性を有している場合であっても、前記第２の表示領域には、切り替え前と異なるコンテンツが表示される」との限定を付加するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　また、補正前の請求項９ないし１８を削除しており、特許法第１７条の２第５項第１号の請求項の削除を目的とするものに該当する。
　また、特許法第１７条の２第３項、第４項に違反するところはない。
　そこで、本件補正後の前記請求項１に記載された発明（以下、「補正発明」という。）が特許法第１７条の２第６項において準用する同法第１２６条第７項の規定に適合するか（特許出願の際独立して特許を受けることができるものであるか）について以下に検討する。
　
（１）刊行物の記載事項 
Ａ　原査定の拒絶の理由に主として引用された特開２００７−３２５３１０号公報（以下、「刊行物１」）には、図面とともに以下の事項が記載されている。
　
イ．「【技術分野】
【０００１】
　本発明は、セットトップボックスやテレビ、ビデオレコーダ等に用いられる、電子番組ガイドを表示するための番組情報表示装置および番組情報表示方法等に関する。」（２頁） 
　
ロ．「【００３４】
　（実施の形態１）
　図１は、本発明の実施の形態１の番組情報表示装置を含む受信システムの構成図である。図１において、受信システム１００は、チューナ１１０、チューナ１１０が接続されたセットトップボックス１２０、およびセットトップボックス１２０が接続されたモニタテレビ１３０とを備えている。
【００３５】
　チューナ１１０は、例えばトランスポートストリームのようなテレビ放送波を受信する手段であり、テレビ放送波には、番組のコンテンツと、ＥＰＧとが多重されている。
【００３６】
　また、セットトップボックス１２０は、番組情報表示装置を有する手段であり、放送波からＥＰＧと番組コンテンツとを分離して、それぞれを処理して、画像信号および映像信号に整える手段である。
【００３７】
　また、モニタテレビ１３０は、例えばＡＶ信号入力端子を備えたテレビとして実現され、モニタ装置１３１およびスピーカ１３２を有し、セットトップボックス１２０から出力された画像信号および映像信号を再生して、画像および音声を出力する手段である。
【００３８】
　また、チューナ１１０およびセットトップボックス１２０は、操作部１４０によりその動作を制御される。ここで操作部１４０は、チューナ１１０またはセットトップボックス１２０のリモコン、またはそれぞれの本体に設けられた入力用インタフェースとして実現される。
【００３９】
　次に、セットトップボックス１２０は、番組情報抽出回路１２１、映像信号再生回路１２２、音声信号再生回路１２３、映像ミックス回路１２４、管面表示信号作成回路１２５および本発明の番組情報表示装置を含む内部制御マイコン１２６を備えている。
【００４０】
　図２は、内部制御マイコン１２６の内部構成図である。内部制御マイコン１２６において、ＥＰＧデータベース２１０は、番組情報抽出回路１２１が放送波から抽出したＥＰＧを蓄積する手段、ジャンル別表示用番組情報作成部２２０はジャンル別表示用の番組情報を処理する手段、ジャンル表示信号作成部２３０はジャンル名を画面に表示するためのジャンル表示信号を作成する手段、命令一時記憶部２４０は操作部１４０からの命令を一時的に記憶する手段、管面表示用データ作成部２５０はジャンル別表示用番組情報作成部２２０により作成されたデータおよびジャンル表示信号を、管面表示可能なデータとして作成する手段である。
【００４１】
　また、図３はジャンル別表示用番組情報作成部２２０の内部構成図であって、ジャンル別表示用番組情報作成部２２０において、表示ジャンル分類部２２１は表示ジャンルを分類する手段、ジャンル別表示番組情報および表示位置決定部２２２はジャンル別表示番組情報を作成しおよびその表示位置を決定する手段、また番組プロパティ情報検索部２２３は、操作部１４０または命令一時記憶部２４０に一時記憶された命令に応じて、ＥＰＧデータベース２１０から番組プロパティ情報を含む番組情報を検索する手段である。
【００４２】
　以上のような構成を有する、受信システムの動作を説明することにより、本発明の実施の形態における番組情報表示装置の動作および本発明の番組情報表示方法の一実施の形態について説明を行う。以下の説明においては、図１〜図３を用いて基本的な動作を説明した後に、図４〜８の図を用いて詳細な説明を行う。
【００４３】
　第１の動作例として、初期状態の表示画面を表示するための動作を説明する。チューナ１１０が放送波を受信する。放送波には、番組のコンテンツとＥＰＧとが多重化されており、内部制御マイコン１２６の制御により、番組情報抽出回路は、チューナが受波した放送波からＥＰＧを抽出し、内部制御マイコン１２６に出力する。
【００４４】
　番組情報抽出回路１２１から出力されたＥＰＧは、まずＥＰＧデータベース２１０に蓄積される。利用者による操作部１４０の操作によって、表示が希望される複数のジャンルが決定されると、操作部１４０から、決定された複数のジャンルを示す命令がジャンル別表示用番組情報作成部２２０に対して出力される。ジャンル別表示用番組情報作成部２２０は、操作部１４０からの命令を受けると、これに基づきＥＰＧデータベース２１０から番組情報を取得する。このとき、操作部１４０から出力された命令は、直接ジャンル別表示用番組情報作成部２２０に出力されてもよいし、命令一時記憶部２４０に記憶しておき、装置の起動時等、任意の時間に読み出されるようにしてもよい。
【００４５】
　一方、ジャンル表示信号作成部２３０は、ジャンル別表示用番組情報作成部２２０における処理に伴い、操作部１４０により決定されたジャンル自身を表示するためのジャンル表示信号を作成する。
【００４６】
　このとき、図３に示すように、ジャンル別表示用番組情報作成部２２０において、表示ジャンル分類部２２１は、ＥＰＧデータベース２１０から出力された番組情報を、操作部１４０に指定された複数のジャンル毎に分類して、ジャンル別表示番組情報および表示位置決定部２２２へ出力する。ジャンル別表示番組情報および表示位置決定部２２２は、表示ジャンル分類部２２１が出力した番組情報の、画面上の表示位置を決定し、番組情報およびその表示位置情報を管面表示用データ作成部２５０ヘ送信する。
【００４７】
　管面表示用データ作成部２５０は、ジャンル別表示用番組情報作成部２２０から番組情報および表示位置情報を、またジャンル表示信号作成部２３０からジャンル表示信号をそれぞれ取得すると、これら情報、信号を管面表示可能な管面表示用データとして成形する。管面表示用データは内部制御マイコン１２６から管面表示信号作成回路１２５へ出力される。管面表示信号作成回路１２５は、管面表示用データを取得すると、これを映像信号である管面表示信号に成形し、映像ミックス回路１２４を経由して、モニタテレビ１３０へ出力する。
【００４８】
　なお、第１の動作例において、映像ミックス回路１２４は、管面表示信号を単に通過させるものとしたが、必要がある場合は、管面表示信号と番組コンテンツの映像信号とをミックスして出力し、同一画面に番組と番組情報とが同時に表示されるような処理を行う。このとき、番組のコンテンツは番組情報抽出回路１２１を通過して、映像成分は映像信号再生回路１２２にて映像信号として取り出され、コンテンツの音声成分は音声信号再生回路１２３にて音声信号として取り出される。映像信号は映像ミックス回路１２４を通過して、音声信号とともにモニタテレビ１３０に出力される。
【００４９】
　図４に、第１の動作例により完成した、初期状態における番組情報表示画面を示す。ジャンル表示領域４１０にはジャンルが表示されており、図では、当初操作部１４０による命令に基づき決定された複数のジャンル「ドラマ」「スポーツ」「バラエティー」「ニュース」が、それぞれに対応する選択窓に表示されている。利用者は、ジャンル表示領域４１０に表示された各ジャンルから、一つを選択することができる。選択は、画面上にて各ジャンルの選択窓の縁部を縁取る指示カーソル４１１にて実施され、所望の選択窓に指示カーソル４１１を重ね、入力を行うことにより、ジャンルの決定が行われ、操作部１４０における命令が生成される。なお、選択窓および指示カーソル４１１の操作は、従来のＥＰＧ等のメニュー選択の機構と同様の機構に実現されるものであり、その詳細は省略する。今回の場合は、ジャンルとして「ドラマ」が決定されたものとする。
【００５０】
　ジャンルが決定されると、先に述べたようなジャンル別表示用番組情報作成部２２０の動作により、主番組情報表示領域４２０に、当該ジャンルに属する番組情報が表示される。主番組情報表示領域４２０は、決定されたジャンル名を表示するジャンル名表示窓４７０と、番組情報を表示する複数の番組情報表示窓４２０ａ〜４２０ｂ他から構成されており、番組情報表示窓と、番組とは一対一対応している。個々の番組情報表示窓内には、番組の放送局名および／またはチャンネルを表示する放送先表示欄４５１、番組の放送日を表示する放送日表示欄４５２、番組の放送時間帯を表示する放送時間帯表示欄４５３、番組名を表示する番組名表示欄４５４、サブタイトル等、番組に関する補助情報を表示する補助情報表示欄４５５および出演者等を表示する出演者表示欄４５６が設けられており、番組情報を、各表示欄毎に分類して表示するようにしている。なお、主番組情報表示領域４２０内における表示窓の配列は、各表示欄の内容に基づき任意に設定してよく、例えば図４においては、放送日表示欄４５２および放送時間帯表示欄４５３の内容に基づく時系列および放送先表示欄４５１に表示されたチャンネル数の昇べきの順とした。また、図４に示した表示欄の種類は一例であって、画面の大きさに応じて各表示欄の数は増減してもよい。
【００５１】
　副番組情報表示領域４４０ａ〜４４０ｃは、その大きさ以外は主番組情報表示領域４２０と同様の構成を有し、個々の副番組情報表示領域に対応したジャンル名表示窓４３０ａ〜４３０ｃによって分類され、番組情報を表示する複数の番組情報表示窓４６０ａ〜４６０ｃを有している。なお、現在の動作において、副番組情報表示領域４４０ａ〜４４０ｃおよびジャンル名表示窓４３０ａ〜４３０ｃは空欄となっている。
【００５２】
　第２の動作例として、図４〜図５を利用して、本実施の形態の動作をさらに詳細に説明する。
【００５３】
　利用者は、初期状態にて表示された主番組情報表示領域４２０の番組情報表示窓を参照して、所望の番組をチェックする。さらに、所望の番組の番組情報表示窓において、関心のある表示欄を選択する。なお、選択の動作は、ジャンル表示領域４１０の選択窓および指示カーソル４１１の操作と同様の機構により実施され、選択された表示欄の縁部が指示カーソルにより縁取られる。今回の場合、図５に示すように、番組情報表示窓４２０ｂが選択され、表示欄として、放送時間帯表示欄４５３が選択、決定されたものとする。これにより操作部１４０における命令が生成される。
【００５４】
　次に、図３において、表示欄の決定により生成された操作部１４０からの命令は、番組プロパティ情報検索部２２３に出力される。番組プロパティ情報検索部２２３は、命令を取得すると、これに応じて、ＥＰＧデータベース２１０内を検索して、表示欄に対応する番組プロパティ情報を含む番組情報を検索、抽出して、表示ジャンル分類部２２１へ転送する。今回の場合、放送時間帯表示欄４５３は放送時間帯を示すものであるから、番組プロパティ情報は放送時間帯となり、ＥＰＧデータベース２１０からは、この放送時間帯と同一もしくは部分的に一致する時間帯を番組プロパティ情報として含む全ての番組情報が検索、抽出される。
【００５５】
　次に、ジャンル別表示用番組情報作成部２２０において、表示ジャンル分類部２２１は、番組プロパティ情報検索部から転送された番組情報を、操作部１４０に指定された複数のジャンル毎に分類して、ジャンル別表示番組情報および表示位置決定部２２２へ出力する。このとき、操作部１４０に指定されたジャンルとは異なるジャンルに属する番組情報は、番組プロパティ情報を含むものであっても、ジャンル別表示番組情報および表示位置決定部２２２へ出力されることはない。
【００５６】
　ジャンル別表示番組情報および表示位置決定部２２２は、表示ジャンル分類部２２１が出力した番組情報の、画面上の表示位置を決定し、番組情報およびその表示位置情報を管面表示用データ作成部２５０ヘ送信する。今回の場合は表示位置は副番組情報表示領域４４０となる。以下、主番組情報表示領域４２０の場合と同様の処理が行われ、副番組情報表示領域４４０に番組情報が表示される。
【００５７】
　図５に、上述の動作により完成した番組情報表示画面を示す。ジャンル表示領域４１０および主番組情報表示領域４２０の状態は、選択された番組情報表示窓４２０ｂおよび放送時間帯表示欄４５３が指示カーソルにより縁取り表示されている以外は、図４に示す初期状態と同様である。
【００５８】
　次に、副番組情報表示領域４４０ａ〜４４０ｃの表示状態を説明する。副番組情報表示領域４４０ａ〜４４０ｃに対応したジャンル名表示窓４３０ａ〜４３０ｃは、ジャンル表示領域４１０に表示されたジャンル名と同一のジャンル名をそれぞれ表示する。図５においては、ジャンル表示領域４１０は「ドラマ」「スポーツ」「バラエティー」「ニュース」が表示されており、このうち「ドラマ」は既に主番組情報表示領域４２０に設定されているので、ジャンル名表示窓４３０ａ〜４３０ｃはそれぞれ「スポーツ」「バラエティー」「ニュース」を表示する。
【００５９】
　次に、ジャンル名表示窓４３０ａ〜４３０ｃが対応する副番組情報表示領域４４０ａ〜４４０ｃには、それぞれのジャンル毎に、主番組情報表示領域４２０と同様の方法で、番組情報が番組情報表示窓単位で表示される。副番組情報表示領域４４０ａ〜４４０ｃに表示される番組情報は、番組プロパティ情報検索部２２３の検索により、主番組情報表示領域４２０における放送時間帯表示欄４５３の選択に基づく番組プロパティ情報を含むものに限られている。
【００６０】
　なお、副番組情報表示領域４４０の番組情報表示窓４６０ａ〜４６０ｃは、主番組情報表示領域４２０の番組情報表示窓よりも表示面積が小さいため、番組情報表示欄の種類は主番組情報表示領域の番組情報表示窓における番組情報表示欄の種類よりも少ない。このとき、副番組情報表示領域の番組情報表示窓における番組情報表示欄の種類は、任意に設定してよいが、少なくとも番組プロパティ情報に対応する表示欄を含む必要がある。
【００６１】
　例として、副番組情報表示領域４４０ｂには、ジャンル表示領域４１０ｂに「バラエティー」として示されているように、バラエティー番組の番組情報が、３つの番組情報表示窓で示されている。このうち、中段の番組情報表示窓の番組は、放送日表示欄から、主番組情報表示領域４２０の番組情報表示窓４２０ｂの番組と放送日が同一である。また、上段の番組情報表示窓の番組は、主番組情報表示領域４２０の番組情報表示窓４２０ｂの番組より放送日が一日遡っている。さらに、下段の番組情報表示窓の番組は、主番組情報表示領域４２０の番組情報表示窓４２０ｂの番組より放送日が一日後になっている。また、それぞれの番組の放送局も異なる。
【００６２】
　このように、副番組情報表示領域４４０に表示される番組情報は、ジャンル表示領域４１０にて示されるジャンル、主番組情報表示領域４２０における表示欄の選択より決定される番組プロパティ情報の２種類の条件に基づき決定され、他の条件で選別されることはない。
【００６３】
　次に、第３の動作例を説明する。上記の説明においては、利用者は所望の番組の番組情報表示窓において、関心のある表示欄を一種類選択したが、複数の表示欄を選択できるようにしてもよい。今回の場合、図６に示すように、番組情報表示窓４２０ｂが選択され、表示欄として、放送時間帯表示欄４５３とともに放送日表示欄４５２が選択、決定されたものとする。これにより操作部１４０における命令が生成される。
【００６４】
　番組プロパティ情報検索部２２３は、表示欄の決定により生成された操作部１４０からの命令を取得すると、これに応じて、ＥＰＧデータベース２１０内を検索して、表示欄に対応する番組プロパティ情報を含む番組情報を検索、抽出して、表示ジャンル分類部２２１へ転送する。今回の場合、放送時間帯表示欄４５３は放送時間帯、放送日表示欄４５２は番組の放送日を示すものであるから、番組プロパティ情報は放送時間帯および放送日となり、ＥＰＧデータベース２１０からは、この放送時間帯と同一もしくは部分的に一致する時間帯であって、放送日が同一であることを番組プロパティ情報として含む全ての番組情報が検索、抽出される。」（６〜１０頁）
　
　上記刊行物１の記載及び図面並びにこの分野における技術常識を考慮すると、上記ロ．【００３４】における「図１は、本発明の実施の形態１の番組情報表示装置を含む受信システムの構成図である。」との記載、同ロ．の【００３７】における「モニタテレビ１３０は、例えばＡＶ信号入力端子を備えたテレビとして実現され、モニタ装置１３１およびスピーカ１３２を有し」との記載、同ロ．の【００３８】における「チューナ１１０およびセットトップボックス１２０は、操作部１４０によりその動作を制御される。ここで操作部１４０は、チューナ１１０またはセットトップボックス１２０のリモコン、またはそれぞれの本体に設けられた入力用インタフェースとして実現される。」との記載、同ロ．の【００４０】における「図２は、内部制御マイコン１２６の内部構成図である。内部制御マイコン１２６において、ＥＰＧデータベース２１０は、番組情報抽出回路１２１が放送波から抽出したＥＰＧを蓄積する手段」との記載、同ロ．の【００４１】における「図３はジャンル別表示用番組情報作成部２２０の内部構成図であって、ジャンル別表示用番組情報作成部２２０において、・・・番組プロパティ情報検索部２２３は、操作部１４０または命令一時記憶部２４０に一時記憶された命令に応じて、ＥＰＧデータベース２１０から番組プロパティ情報を含む番組情報を検索する手段である。」との記載、図１ないし図３によれば、番組情報表示装置は、モニタ装置（１３１）と、操作部（１４０）と、ＥＰＧデータベース（２１０）と、番組プロパティ情報検索部（２２３）とを備えている。
　また、上記ロ．の【００５３】における「所望の番組の番組情報表示窓において、関心のある表示欄を選択する。なお、選択の動作は、ジャンル表示領域４１０の選択窓および指示カーソル４１１の操作と同様の機構により実施され、選択された表示欄の縁部が指示カーソルにより縁取られる。今回の場合、図５に示すように、番組情報表示窓４２０ｂが選択され、表示欄として、放送時間帯表示欄４５３が選択、決定されたものとする。これにより操作部１４０における命令が生成される。」との記載、及び図５によれば、前述の操作部（１４０）は、放送時間帯という番組プロパティ情報を選択して入力している。
　また、上記ロ．の【００５４】における「番組プロパティ情報検索部２２３は、命令を取得すると、これに応じて、ＥＰＧデータベース２１０内を検索して、表示欄に対応する番組プロパティ情報を含む番組情報を検索、抽出して、表示ジャンル分類部２２１へ転送する。今回の場合、放送時間帯表示欄４５３は放送時間帯を示すものであるから、番組プロパティ情報は放送時間帯となり、ＥＰＧデータベース２１０からは、この放送時間帯と同一もしくは部分的に一致する時間帯を番組プロパティ情報として含む全ての番組情報が検索、抽出される。」との記載、及び図３によれば、前述の番組プロパティ情報検索部（２２３）は、番組プロパティ情報を放送時間帯とし、ＥＰＧデータベース（２１０）から、この放送時間帯と同一もしくは部分的に一致する時間帯を番組プロパティ情報として含む全ての番組情報を検索している。すなわち、前述の操作部（１４０）に入力され選択された放送時間帯という番組プロパティ情報に基づいて、番組情報を検索している。また、前述のＥＰＧデータベース（２１０）は、番組プロパティ情報検索部（２２３）により検索される以上、放送時間帯、ジャンルのような複数の異なる番組プロパティ情報を番組情報に対応付けて記憶していることは明らかである。
　また、上記ロ．の【００５７】における「図５に、上述の動作により完成した番組情報表示画面を示す。ジャンル表示領域４１０および主番組情報表示領域４２０の状態は、選択された番組情報表示窓４２０ｂおよび放送時間帯表示欄４５３が指示カーソルにより縁取り表示されている以外は、図４に示す初期状態と同様である。」との記載、同ロ．の【００５８】における「副番組情報表示領域４４０ａ〜４４０ｃの表示状態を説明する。」との記載、及び図５によれば、前述のモニタ装置（１３１）は、完成した番組情報表示画面、すなわち、検索結果を表示している。また、前述のモニタ装置（１３１）は主番組情報表示領域（４２０）と、副番組情報表示領域（４４０ａ〜４４０ｃ）とを備えていることが見て取れる。
　また、図５によれば、前述の主番組情報表示領域（４２０）は、ドラマという番組プロパティ情報が同一の番組情報を複数表示していることが見て取れる。また、上記ロ．の【００５９】における「副番組情報表示領域４４０ａ〜４４０ｃには、それぞれのジャンル毎に、主番組情報表示領域４２０と同様の方法で、番組情報が番組情報表示窓単位で表示される。副番組情報表示領域４４０ａ〜４４０ｃに表示される番組情報は、番組プロパティ情報検索部２２３の検索により、主番組情報表示領域４２０における放送時間帯表示欄４５３の選択に基づく番組プロパティ情報を含むものに限られている。」との記載、及び図５によれば、前述の副番組情報表示領域（４４０ａ〜４４０ｃ）は、放送時間帯という番組プロパティ情報が同一もしくは部分的に一致する番組情報を複数表示していることが読み取れる。ここで、放送時間帯という番組プロパティ情報は、前述のドラマという番組プロパティ情報とは異なる番組プロパティ情報であるということができる。
　
　したがって、上記刊行物１には、以下の発明（以下、「引用発明」という。）が記載されているものと認められる。
　
　「番組プロパティ情報を選択し入力する操作部（１４０）と、
　複数の異なる番組プロパティ情報を番組情報に対応付けて記憶するＥＰＧデータベース（２１０）と、
　前記操作部（１４０）に入力され選択された番組プロパティ情報に基づいて、番組情報を検索する番組プロパティ情報検索部（２２３）と、
　検索結果を表示するモニタ装置（１３１）とを備え、
　前記モニタ装置（１３１）は、
　前記番組プロパティ情報が同一の番組情報を複数表示する主番組情報表示領域（４２０）と、
　前記番組プロパティ情報とは異なる番組プロパティ情報が同一もしくは部分的に一致する番組情報を複数表示する副番組情報表示領域（４４０ａ〜４４０ｃ）とを備える番組情報表示装置。」
　
Ｂ　原査定の拒絶の理由に引用された特開２００５−１４８８０１号公報（以下、「刊行物２」という。）には、図面とともに以下の事項が記載されている。 
　
ハ．「【技術分野】
【０００１】
　本発明は、関連情報提供方法、関連情報提供装置、関連情報提供プログラム、および、関連情報提供プログラムの記録媒体に関する。」（３頁） 
　
ニ．「【００３６】
　まず、関連情報提供装置１は、検索条件コンテンツ（図４（Ａ）参照）と、検索対象の各コンテンツとの類似度を算出する（Ｓ１０５）。ここで、コンテンツ間の類似度は、コンテンツ類似度算出部２０によって、コンテンツの種別に応じて算出される。よって、関連情報提供装置１は、コンテンツの特徴情報を抽出して、その特徴情報を基にして、例えば特徴量の差分をとることによって、コンテンツ間の類似度を算出する。なお、コンテンツの特徴情報は、コンテンツ特徴情報抽出部２１を用いて、コンテンツから抽出してもよいし、予め関連情報格納部１２またはコンテンツに特徴情報が関連付けられている場合には、その特徴情報を活用してもよい。なお、コンテンツの類似度の算出結果の一例を、図４（Ｂ）に示す。図４（Ｂ）は、コンテンツＩＤ１０２のコンテンツと類似するコンテンツとして、コンテンツＩＤが、“１０１、１１０、１０３、１１５”のコンテンツが、類似度の高い順に算出されている。」（８頁）
　
　上記刊行物２の記載及び図面並びにこの分野における技術常識を考慮すると、上記ニ．の【００３６】における「関連情報提供装置１は、・・・コンテンツの類似度の算出結果の一例を、図４（Ｂ）に示す。図４（Ｂ）は、コンテンツＩＤ１０２のコンテンツと類似するコンテンツとして、コンテンツＩＤが、“１０１、１１０、１０３、１１５”のコンテンツが、類似度の高い順に算出されている。」との記載、及び図４（Ｂ）によれば、関連情報提供装置（１）は、コンテンツをランキング順位の高い順に表示している。
　
　したがって、上記刊行物２には、以下の発明（以下、「技術事項１」という。）が記載されているものと認められる。
　
　「コンテンツをランキング順位の高い順に表示する関連情報提供装置（１）。」
　
Ｃ　原査定の拒絶の理由に引用された特開２００５−２７６３１１号公報（以下、「刊行物３」という。）には、図面とともに以下の事項が記載されている。 
　
ホ．「【技術分野】
【０００１】
本発明は、音楽コンテンツや映像コンテンツなどのコンテンツ再生装置に関し、特に、複数のコンテンツを連続再生可能なコンテンツ再生装置のグラフィックユーザーインターフェイス（以下「ＧＵＩ」と称する。）に関する。」（４頁） 
　
ヘ．「【０００９】
　本発明の実施の形態によるコンテンツ再生装置について、図面を参照しつつ説明を行う。図１（Ａ）は、本発明の第１の実施の形態によるコンテンツ再生装置であって、一例としてオーディオ再生装置の構成を示す機能ブロック図である。図１（Ｂ）は、オーディオ再生装置の簡略化した正面図である。図１（Ａ）及び図１（Ｂ）に示すように、本実施の形態によるオーディオ再生装置Ａは、バスラインＢＬに接続された各機能ブロックにより構成されている。各機能ブロックは、ＣＰＵ１と、ＲＡＭ（主記憶装置）２と、音楽データを記憶するハードディスクユニット（データ格納装置）３と、液晶ディスプレイ（表示装置）４と、各種機能を発揮するためのプログラム５ａを格納するＲＯＭ（不揮発性メモリ）５と、アンプユニット７と、操作キー８と、再生された音楽を出力するスピーカ６と、を有している。符号Ｂは液晶ディスプレイ４とイヤホン（或いはスピーカ）６とを除く各種機能ブロックを示し、オーディオ再生装置Ａの内部に格納されている。プログラム５ａは、液晶ディスプレイ４にグラフィックユーザーインターフェイス（ＧＵＩ）を表示させるためのＧＵＩ部と、後述する検索エンジン部と、キーワード取得部と、アンプ制御部と、表示制御部と、ハードディスクドライブ制御部と、キー検出部と、を有している。
【００１０】
　次に、上記オーディオ再生装置Ａの動作について図２から図４までを参照して説明する。適宜図１も参照する。図２〜図４までは、本実施の形態によるオーディオ再生装置における処理の流れを示すフローチャート図である。まず、ステップＳ１において処理を開始し（Ｓｔａｒｔ）、ステップＳ２において指定された曲の再生を開始する。次にステップＳ３に移る。ここで、まず、ステップＳ１１においてステップＳ３の処理に入り、ステップＳ１２において、再生する曲のカテゴリキーワードなどの関連情報を取得する。ここで、カテゴリとは、曲を同じアーティストやアルバムなど異なる切り口で切り分けた曲の分類のためのインデックスである。カテゴリキーワードとは、かかるカテゴリを示す代表的な単語である。その他のキーワードなどの関連情報を取得しても良い。ステップＳ１３において、ステップＳ１２で取得したカテゴリキーワードを検索エンジン（図１：５ａ）に入力する。ステップＳ１４において検索結果を得ると、ステップＳ１５において、検索結果として得られた曲名を予め優先度が決められたカテゴリ順に整列表示し、図３に示す処理から出る（ステップＳ１６）。
【００１１】
　次いで、ステップＳ４においてユーザにより処理の停止操作がなされたか否かを判定し、停止操作が成された場合には、ステップＳ５に進み処理を終了する。停止操作がなされていない場合には、ステップＳ６に進み、後述する曲候補を標示するお勧め領域から曲選択操作がされたか否かを判定する。曲選択操作がなされていない場合にはステップＳ８に進み、現在再生中の曲が終了していなければステップＳ４に戻り、現在再生中の曲が終了していればステップＳ２に戻る。曲選択操作がなされている場合には、ステップＳ７に進む。ステップＳ７においては、ステップＳ２１で処理に入り、ステップＳ２２において、選択は同じカテゴリであるか否かを判定する。異なるカテゴリである場合にはステップＳ２３に進み選択された、異なるカテゴリを記憶する。同じカテゴリの場合には、そのままステップＳ２４において処理を抜けてステップＳ２に戻る。以上の処理により、順次、曲が選択され新たな曲が再生される。
【００１２】
　図５は、液晶ディスプレイ４の表示例を示す図である。符号２３ａに示す領域（お勧め領域、すなわち、次回再生候補曲表示領域）に、現在再生中の曲名ＡＡＡＡと、再生開始からの経過時間２分３４秒とが表示されている。また、領域２５ａには、次回再生の第１候補曲２５−１ａ（ＡＢＣＤ）と、第２候補曲２５−２ａ（ＢＣＤＥ）と、第３候補曲２５−３ａ（ＣＤＥＦ）と、が表示されている。符号２５ａで示される領域は、現在の再生曲ＡＡＡＡに対する関連の曲を表示する領域である。表示される曲は、複数のカテゴリのお勧めを、例えばそれぞれ１曲づつ表示する。複数のカテゴリとは、ある曲に関して、アーティストやアルバムなど異なる切り口で切り分けた種別である。
【００１３】
　現在再生中の曲が変われば、次回再生候補曲表示領域２５ａに表示する曲も変わる。また、同じ曲でも再生する度に、次回再生候補曲表示領域２５ａに表示される曲は変わるようにする。候補曲の選択基準としては、例えば、第１候補曲２５−１ａは現在再生している曲と同じアーティストの曲をハードディスクからランダムに選択した曲であり、第２候補曲２５−２ａは現在再生している曲と同じアルバムの曲をハードディスクからランダムに選択した曲であり、第３候補曲２５−３ａは、選択条件はなしにハードディスクからランダムに選択した曲を、それぞれ１曲づつ、合わせて３曲表示するようにする。
【００１４】
　次回再生候補曲表示領域２５ａに表示する順番については、基本的に、ユーザが１つ前に選択したカテゴリが１番目にくるように入れ替える。現在再生中の曲が終われば、特にユーザからの特定の操作がない限り、オーディオ装置は１番目に表示されている曲を自動的に選択して再生する。例えば、カテゴリとして“同じアーティスト”を選んだ場合においてそのままにしておくと、同じアーティストの曲をランダムで選曲しながら次々と再生することになる。その後、“同じアルバム”を選んだ場合は、同じアルバムの曲をランダムで選曲しながら次々と再生するように変化する。カテゴリは、アルバムとアーティストとに関連して決められる例について説明したが、他のカテゴリを選択できるようにしても良い。例えば、最近のヒット曲、数年前のヒット曲、１９９７年のヒット曲などである。
【００１５】
　白抜きの矢印で示したように、図５の現在再生中の曲がＡＡＡＡから第１候補曲のＡＢＣＤになった場合（再生開始から１秒後の表示例を示している。）には、第１候補曲表示領域２５−１ｂから第３候補曲表示領域２５−３ｂまでに表示される曲は、現在再生中の曲がＡＡＡＡからＡＢＣＤに変わったことにより、第１候補曲表示領域２５−１ｂから第３候補曲表示領域２５−３ｂまでに表示される曲が全て変化している。これは、第１候補曲表示領域２５−１ｂから第３候補曲表示領域２５−３ｂまでに表示される曲が、現在再生中の曲と、ユーザが選択したカテゴリと、の両方に基づいて選択されるからである。すなわち、現在再生中の曲が変われば、図５に左側に表示されていた第２候補曲、第３候補曲が順次繰り上がるわけではない。尚、関連の曲をお勧め領域に表示するタイミングは、再生が開始された後であるのが好ましく少なくとも終わる前である。」（５〜７頁）
　
　上記刊行物３の記載及び図面並びにこの分野における技術常識を考慮すると、上記ヘ．の【００１２】における「図５は、液晶ディスプレイ４の表示例を示す図である。符号２３ａに示す領域（お勧め領域、すなわち、次回再生候補曲表示領域）に、現在再生中の曲名ＡＡＡＡと、再生開始からの経過時間２分３４秒とが表示されている。また、領域２５ａには、次回再生の第１候補曲２５−１ａ（ＡＢＣＤ）と、第２候補曲２５−２ａ（ＢＣＤＥ）と、第３候補曲２５−３ａ（ＣＤＥＦ）と、が表示されている。符号２５ａで示される領域は、現在の再生曲ＡＡＡＡに対する関連の曲を表示する領域である。表示される曲は、複数のカテゴリのお勧めを、例えばそれぞれ１曲づつ表示する。複数のカテゴリとは、ある曲に関して、アーティストやアルバムなど異なる切り口で切り分けた種別である。」との記載、同ヘ．の【００１５】における「図５の現在再生中の曲がＡＡＡＡから第１候補曲のＡＢＣＤになった場合（再生開始から１秒後の表示例を示している。）には、第１候補曲表示領域２５−１ｂから第３候補曲表示領域２５−３ｂまでに表示される曲は、現在再生中の曲がＡＡＡＡからＡＢＣＤに変わったことにより、第１候補曲表示領域２５−１ｂから第３候補曲表示領域２５−３ｂまでに表示される曲が全て変化している。」との記載、及び図５によれば、コンテンツ再生装置は、第１候補曲２５−１ａ（ＡＢＣＤ）と、第２候補曲２５−２ａ（ＢＣＤＥ）と、第３候補曲２５−３ａ（ＣＤＥＦ）が表示された領域（２５ａ）での候補曲を選択する動作に連動して、現在再生中の領域（２３ａ）内の曲と前述の領域（２５ａ）内の候補曲が共に切り替わり、かつ、前述の領域（２５ａ）内の候補曲の選択に応じて、選択された曲が前述の領域（２３ａ）に移動し、領域（２５ｂ）には前述の領域（２３ａ）に移動した曲とカテゴリが同一の曲を表示させている。また、前述の選択曲を切り替えた前後で同じカテゴリを有している場合であっても、前述の領域（２５ｂ）には、切り替え前と異なる曲が表示されている。
　
　したがって、上記刊行物３には、以下の発明（以下、「技術事項２」という。）が記載されているものと認められる。
　
　「第１候補曲２５−１ａ（ＡＢＣＤ）と、第２候補曲２５−２ａ（ＢＣＤＥ）と、第３候補曲２５−３ａ（ＣＤＥＦ）が表示された領域（２５ａ）での候補曲を選択する動作に連動して、現在再生中の領域（２３ａ）内の曲と前記領域（２５ａ）内の候補曲が共に切り替わり、かつ、前記領域（２５ａ）内の候補曲の選択に応じて、選択された曲が前記領域（２３ａ）に移動し、領域（２５ｂ）には前記領域（２３ａ）に移動した曲とカテゴリが同一の曲を表示させ、前記選択曲を切り替えた前後で同じカテゴリを有している場合であっても、前記領域（２５ｂ）には、切り替え前と異なる曲が表示されるコンテンツ再生装置。」
　
Ｄ　原査定の拒絶の理由に引用された特開２００６−１５７８９９号公報（以下、「刊行物４」という。）には、図面とともに以下の事項が記載されている。 
　
ト．「【技術分野】
【０００１】
　本発明は、マルチメディア、情報技術、及びコンピューティングの分野に関し、詳細にはプログラムに関連するデータを表示するための方法及び装置に関する。本発明はまた、プログラムに関連するデータを表示するためのコンピュータプログラムを記録しているコンピュータ読取り可能媒体を含むコンピュータプログラム製品に関する。」（５頁） 
　
チ．「【００３１】
　図２は、ユーザインターフェース１１０をより詳細に示す図である。ユーザインターフェース１１０は、所定の空間的配列における複数のサテライト領域２０２、２０５、２０８及び２１１によって取り囲まれた中央領域２００を含んでいる。中央領域２００は、メモリ１３０６に記憶される特定のテレビ番組に対応するテレビ番組名２０１を含んでいる。以下、中央領域２００に示されるテレビ番組名２０１に対応するテレビ番組を「ピボット番組」と称する。
【００３２】
　また、各サテライト領域２０２、２０５、２０８及び２１１は、属性名２０４、２０７、２１０及び２１３に加えて、それぞれテレビ番組名２０３、２０６、２０９及び２１２を含んでいる。テレビ番組名２０３、２０６、２０９及び２１２は、ピボット番組２０１に関連するテレビ番組を表している。これら関連するテレビ番組とは、１つ又は複数のデータ属性（例えば、ジャンル、キャスト、演出家、賞、監督、シリーズ、スタジオなど）について類似の値を共有するものである。また、テレビ番組名２０３、２０６、２０９及び２１２によって表されるテレビ番組の各々について、それをピボット番組２０１に関連づけるデータ属性の属性名が各サテライト領域に示される。即ち、各テレビ番組をピボット番組２０１に関連づけるデータ属性の属性名２０４、２０７、２１０及び２１３が、各サテライト領域２０２、２０５、２０８及び２１１の中にそれぞれ示される。従って、サテライト領域２０２、２０５、２０８、２１１の各々に示される属性名２０４、２０７、２１０、２１３は、それらサテライト領域の各々に示されるテレビ番組とピボット番組２０１との関連付けをシステム１００のユーザに示すものである。」（１０頁）
　
リ．「【００５１】
　一例として、図７は、中央領域２００におけるピボット番組２０１の更新に続いて各サテライト領域２０２、２０５、２１０及び２１３が更新された後の、図２のユーザインターフェース１１０を示している。図２のユーザインターフェース１１０では、「プログラムＡ」が、現行のピボット番組２０１であり、中央領域２００中に描画され、示されている。又、「プログラムＢ」、「プログラムＣ」、「プログラムＤ」及び「プログラムＥ」は、それぞれサテライト領域２０２、２０５、２１０及び２１３中に描画され、示されている。これらのテレビ番組は、それらの属性値（夫々「属性１」２０４、「属性２」２０７、「属性３」２１０及び「属性４」２１３）のうちの１つについての同様な値を共有することに基づいて現行のピボット番組２０１に関連づけられている。図７の例において、プログラムＢを表すサテライト領域２０２が、例えば方向ボタン４０１、４０２、４０３、４０４及び４０５を使用してこのユーザによって選択される。サテライト領域２０２の選択により、図２に示す状態から図７に示すユーザインターフェース１１０の状態へユーザインターフェース１１０が遷移を開始する。図７のユーザインターフェース１１０では、プログラムＢが現行のピボット番組２０１になり、ユーザインターフェース１１０の中央領域２００に示される。そして、プログラムＦ、プログラムＧ、プログラムＨ、及びプログラムＪが各サテライト領域２０２、２０５、２０６及び２０７中に示されている。これらは、それぞれ属性「シリーズ」２０４、「監督」２０７、「スタジオ」２１０及び「キャスト」２１３のうちの１つ又は複数の同様な値を共有することに基づいて現行のピボット番組２０１に対して関連づけられることが示されている。」（１４頁）
　
　上記刊行物４の記載及び図面並びにこの分野における技術常識を考慮すると、上記リ．の【００５１】における「図７は、中央領域２００におけるピボット番組２０１の更新に続いて各サテライト領域２０２、２０５、２１０及び２１３が更新された後の、図２のユーザインターフェース１１０を示している。図２のユーザインターフェース１１０では、「プログラムＡ」が、現行のピボット番組２０１であり、中央領域２００中に描画され、示されている。又、「プログラムＢ」、「プログラムＣ」、「プログラムＤ」及び「プログラムＥ」は、それぞれサテライト領域２０２、２０５、２１０及び２１３中に描画され、示されている。これらのテレビ番組は、それらの属性値（夫々「属性１」２０４、「属性２」２０７、「属性３」２１０及び「属性４」２１３）のうちの１つについての同様な値を共有することに基づいて現行のピボット番組２０１に関連づけられている。図７の例において、プログラムＢを表すサテライト領域２０２が、例えば方向ボタン４０１、４０２、４０３、４０４及び４０５を使用してこのユーザによって選択される。サテライト領域２０２の選択により、図２に示す状態から図７に示すユーザインターフェース１１０の状態へユーザインターフェース１１０が遷移を開始する。図７のユーザインターフェース１１０では、プログラムＢが現行のピボット番組２０１になり、ユーザインターフェース１１０の中央領域２００に示される。そして、プログラムＦ、プログラムＧ、プログラムＨ、及びプログラムＪが各サテライト領域２０２、２０５、２０６及び２０７中に示されている。これらは、それぞれ属性「シリーズ」２０４、「監督」２０７、「スタジオ」２１０及び「キャスト」２１３のうちの１つ又は複数の同様な値を共有することに基づいて現行のピボット番組２０１に対して関連づけられることが示されている。」との記載、図２及び図７によれば、ユーザインターフェース（１１０）は、ピボット番組（２０１）の更新に連動して、中央領域（２００）内のプログラムとサテライト領域（２０２、２０５、２１０、２１３）内のプログラムとが共に切り替わり、かつ、前述のサテライト領域（２０２、２０５、２１０、２１３）内のプログラムの選択に応じて、選択されたプログラムが前述の中央領域（２００）に移動し、前述のサテライト領域（２０２、２０５、２１０、２１３）には前述の中央領域（２００）に移動したプログラムと属性が同一のプログラムを表示している。
　
　したがって、上記刊行物４には、以下の発明（以下、「技術事項３」という。）が記載されているものと認められる。
　
　「ピボット番組（２０１）の更新に連動して、中央領域（２００）内のプログラムとサテライト領域（２０２、２０５、２１０、２１３）内のプログラムとが共に切り替わり、かつ、前記サテライト領域（２０２、２０５、２１０、２１３）内のプログラムの選択に応じて、選択されたプログラムが前記中央領域（２００）に移動し、前記サテライト領域（２０２、２０５、２１０、２１３）には前記中央領域（２００）に移動したプログラムと属性が同一のプログラムを表示させるユーザインターフェース（１１０）。」
　
（２）対比
　補正発明と引用発明とを対比する。 
ａ．引用発明の「番組プロパティ情報」と、補正発明の「コンテンツ」とは、いずれも、「特定の情報」という点で一致する。
ｂ．引用発明の「選択」は、選択操作をするから、「選択操作」ということができる。
ｃ．引用発明の「番組プロパティ情報」は、番組（コンテンツ）に関するプロパティ（属性）であるから、「コンテンツに関する属性」ということができる。
ｄ．引用発明の「操作部（１４０）」、「ＥＰＧデータベース（２１０）」及び「モニタ装置（１３１）」は、補正発明の「入力部」、「記憶部」及び「表示部」にそれぞれ相当する。
ｅ．引用発明の「主番組情報表示領域（４２０）」及び「副番組情報表示領域（４４０ａ〜４４０ｃ）」と、補正発明の「第１の表示領域」及び「第２の表示領域」とは、いずれも、「第１の特定の表示領域」及び「第２の特定の表示領域」という点で一致する。
ｆ．引用発明の「番組情報」と、補正発明の「コンテンツ」とは、いずれも、「特定の表示情報」という点で一致する。
ｇ．引用発明の「前記操作部（１４０）に入力され選択された番組プロパティ情報」と、補正発明の「前記入力部に入力されたコンテンツ選択操作によって選択された選択コンテンツに付された属性」とは、引用発明の「番組プロパティ情報」は、「番組（コンテンツ）に付された属性」といえ、また、上記ａ．及びｄ．の対比を考慮すると、いずれも、「前記入力部に入力された特定の情報の選択操作によって選択された選択コンテンツに付された属性」という点で一致する。
ｈ．引用発明の「番組プロパティ情報検索部（２２３）」と、補正発明の「コンテンツ検索部」とは、上記ａ．の対比を考慮すると、いずれも、「特定の情報検索部」という点で一致する。
ｉ．引用発明の「番組情報表示装置」と、補正発明の「コンテンツ表示装置」とは、上記ｆ．の対比を考慮すると、いずれも、「特定の表示情報表示装置」という点で一致する。
　
 　したがって、補正発明と引用発明は、以下の点で一致ないし相違している。 
 　 
（一致点） 
　「特定の情報の選択操作を入力する入力部と、
　コンテンツに関する複数の異なる属性を特定の表示情報に対応付けて記憶する記憶部と、
　前記入力部に入力された特定の情報の選択操作によって選択された選択コンテンツに付された属性に基づいて、特定の表示情報を検索する特定の情報検索部と、
　検索結果を表示する特定の表示情報表示部とを備え、
　前記特定の表示情報表示部は、
　前記選択コンテンツと第１の属性が同一の特定の表示情報を少なくとも１つ表示する第１の特定の表示領域と、
　前記選択コンテンツと前記第１の属性とは異なる第２の属性が同一の特定の表示情報を少なくとも１つ表示する第２の特定の表示領域とを備える特定の表示情報表示装置。」
　
（相違点１）
　「特定の情報」に関し、
　補正発明は、「コンテンツ」であるのに対し、引用発明は、「番組プロパティ情報」である点。
　
（相違点２）
　「特定の表示情報」に関し、
　補正発明は、「コンテンツ」であるのに対し、引用発明は、「番組情報」である点。
　
（相違点３）
　「特定の情報検索部」が検索する「特定の表示情報」に関し、
　補正発明は、「前記選択コンテンツに関連する他のコンテンツ」であるのに対し、引用発明は、「番組情報」である点。
　
（相違点４）
　「第１の特定の表示領域」に関し、
　補正発明は、「第１の表示領域」であり、「前記選択コンテンツ」を表示するのに対し、引用発明は、「主番組情報表示領域（４２０）」であり、当該「前記選択コンテンツ」を表示しない点。
　
（相違点５）
　「第２の特定の表示領域」に関し、
　補正発明は、「第２の表示領域」であるのに対し、引用発明は、「副番組情報表示領域（４４０ａ〜４４０ｃ）」である点。
　
（相違点６）
　「第２の特定の表示領域」に表示する「特定の表示情報」に関し、
　補正発明は、コンテンツを「属性ごとに」少なくとも１つ表示するのに対し、引用発明は、当該「属性ごと」との特定がない点。
　
（相違点７）
　「特定の表示情報表示部」の動作に関し、
　補正発明は、「前記第２の表示領域内でのコンテンツを選択する行為に連動して、前記第１の表示領域内のコンテンツと前記第２の表示領域内のコンテンツとが共に切り替わり、かつ、前記第２の表示領域内のコンテンツの選択に応じて、選択されたコンテンツが前記第１の表示領域に移動し、前記第２の表示領域には前記第１の表示領域に移動したコンテンツと前記第２の属性が同一のコンテンツを少なくとも１つ表示させ、前記選択コンテンツを切り替えた前後で同じ属性を有している場合であっても、前記第２の表示領域には、切り替え前と異なるコンテンツが表示される」のに対し、引用発明は、その様な構成を備えない点。
　
（判断）　
（１）請求項１について
　上記相違点１ないし６について検討する。 
　引用発明は、そもそも、「コンテンツ」自体を選択操作をして、「選択コンテンツに関連する他のコンテンツ」を検索し、「コンテンツ」を表示部に表示するものではなく、「番組情報表示装置」であるから、上記相違点１ないし６における補正発明の発明特定事項である、選択操作する対象が「コンテンツ」である点、「前記選択コンテンツに関連する他のコンテンツ」を検索する点、「コンテンツ」及び「前記選択コンテンツ」を表示する点、コンテンツを表示する「第１の表示領域」及び「第２の表示領域」である点、コンテンツを「属性ごとに」少なくとも１つ表示する点を導き出すことはできない。
　加えて、上記相違点７について、引用発明は、モニタ装置（１３１）における番組情報の表示動作において、副番組情報表示領域（４４０ａ〜４４０ｃ）（第２の表示領域）内での番組情報を選択する行為に連動して、主番組情報表示領域（４２０）（第１の表示領域）内の番組情報と副番組情報表示領域（４４０ａ〜４４０ｃ）（第２の表示領域）内の番組情報とを共に切り替えることが可能な構成ではないから、上記技術事項２及び３に、上記相違点７における補正発明の発明特定事項に類似する構成があったとしても、引用発明の番組情報の表示動作を、補正発明の発明特定事項のように「前記第２の表示領域内でのコンテンツを選択する行為に連動して、前記第１の表示領域内のコンテンツと前記第２の表示領域内のコンテンツとが共に切り替わり、かつ、前記第２の表示領域内のコンテンツの選択に応じて、選択されたコンテンツが前記第１の表示領域に移動し、前記第２の表示領域には前記第１の表示領域に移動したコンテンツと前記第２の属性が同一のコンテンツを少なくとも１つ表示させ、前記選択コンテンツを切り替えた前後で同じ属性を有している場合であっても、前記第２の表示領域には、切り替え前と異なるコンテンツが表示される」構成とする動機づけを見いだすことができない。
　そして、補正発明は、上記各発明特定事項を備えることによって、ユーザは、興味を持ったあるコンテンツを起点に、同じ属性を有する複数のコンテンツを閲覧（探索）することができ、また、異なる視点で関連性の高いコンテンツを閲覧（探索）することができるという作用効果を奏するものである。
　
　なお、上記技術事項１は、請求項２に係る発明に対応して引用されたものであり、請求項１に係る発明について進歩性を否定する根拠となるものではない。
　
　したがって、補正発明は、引用発明、技術事項１ないし３に基いて、当業者が容易に発明をすることができたとはいえない。
　
（２）請求項２ないし請求項８について
　請求項２ないし８は、請求項１に従属する請求項であり、本願発明の発明特定事項をすべて含みさらに発明特定事項を追加して限定したものであるから、上記（１）と同じ理由により、引用発明、技術事項１ないし３に基づいて当業者が容易に発明をすることができたとはいえない。
　
　よって、本件補正は、特許法第１７条の２第６項において準用する同法第１２６条第７項の規定に適合する。
　
３．むすび 
　本件補正は、特許法第１７条の２第３項ないし第６項の規定に適合する。
 　 
第３　本願発明
　本件補正は上記のとおり、特許法１７条の２第３項ないし第６項の規定に適合するから、本願の請求項１ないし８に係る発明は、本件補正により補正された特許請求の範囲の請求項１ないし８に記載された事項により特定されるとおりのものである。
　そして、本願については、原査定の拒絶理由を検討してもその理由によって拒絶すべきものとすることはできない。
　また、他に本願を拒絶すべき理由を発見しない。
　よって、結論のとおり審決する。